(57)【要約】      （修正有）【課題】生体安全性が確保され、しかも、歯への集中荷重を低減できるマウススティックを提供する。【解決手段】板状のマウスピース部１１と、マウスピース部１１に突出して設けられる棒状のスティック部１２とを有する肢体不自由者用のマウススティック１０において、マウスピース部１１は、生体安全性が確認された熱可塑性樹脂を主体として、個々の肢体不自由者に合わせて歯形が形成可能となっている。これによって、マウススティック１０は、使用時に有害物質が溶出することがなく、安心して使用できる。また、形成された歯形により、平均的に荷重がかかり歯の移動や脱落を防止することができると共に、顎関節の疲労を低減できる。【選択図】図１
0003116323.tif 000002
【実用新案登録請求の範囲】
【請求項１】
板状のマウスピース部と、該マウスピース部に突出して設けられる棒状のスティック部とを有する肢体不自由者用のマウススティックにおいて、
前記マウスピース部は、生体安全性が確認された熱可塑性樹脂を主体として、個々の肢体不自由者に合わせて歯形が形成可能となっていることを特徴とするマウススティック。
【請求項２】
請求項１記載のマウススティックにおいて、前記熱可塑性樹脂が、エチレン酢酸ビニル共重合樹脂であることを特徴とするマウススティック。
【請求項３】
請求項１及び２のいずれか１項に記載のマウススティックにおいて、前記スティック部が中空状となって、該中空状のスティック部の先端部に滑り止め部材が挿入されていることを特徴とするマウススティック。
【請求項４】
請求項１及び２のいずれか１項に記載のマウススティックにおいて、前記マウスピース部に全部又は一部が露出する導電性材料が配置され、更に、前記スティック部の先部に前記導電性材料と電気的に連結された導電性部材が取付けられていることを特徴とするマウススティック。
【請求項５】
請求項４記載のマウススティックにおいて、前記マウスピース部は、裏面に前記導電性材料が配置されていることを特徴とするマウススティック。
【請求項６】
請求項４記載のマウススティックにおいて、前記導電性材料は導電性プラスチックからなることを特徴とするマウススティック。
【考案の詳細な説明】
【技術分野】
【０００１】
本考案は、肢体不自由者が使用するマウススティックに係り、更に詳細には人体に無害で、しかも、歯に集中荷重がかからないマウススティックに関する。
【背景技術】
【０００２】
従来、頸随損傷等により四肢が麻痺している肢体不自由者、特に上肢の不自由な人は、口にくわえるマウスピース部と、マウスピース部に突出して設けられる棒状のスティック部とで構成されるマウススティックを使用して、例えば、コンピュータのキーボードを押す、本の頁をめくる、電動車椅子の操作をする、又は、テレビ等のスイッチを操作する等を行っている（例えば、特許文献１参照）。
【０００３】
【特許文献１】特開２００３−２６３２５９号公報（図５、図７）
【考案の開示】
【考案が解決しようとする課題】
【０００４】
しかしながら、従来のマウススティックは、咬合部に包帯やビニールホースを巻き付けたものやスプリント材料（障害を受けた上肢の固定や保持を行う装具に使用される材料）で形成したものがあるが、生体安全性が確認されていない材質で形成されていたり、また、数本の歯で支持するために集中荷重がかかり、歯並びが悪くなって、咬み合わせが悪くなる（移動）、歯が抜ける（脱落）、また顎関節の疲労等が起こるという問題があった。
【０００５】
本考案はかかる事情に鑑みてなされたもので、生体安全性が確保され、しかも、歯への集中荷重を低減できるマウススティックを提供することを目的とする。
【課題を解決するための手段】
【０００６】
前記目的に沿う本考案に係るマウススティックは、板状のマウスピース部と、該マウスピース部に突出して設けられる棒状のスティック部とを有する肢体不自由者用のマウススティックにおいて、
前記マウスピース部は、生体安全性が確認された熱可塑性樹脂を主体として、個々の肢体不自由者に合わせて歯形が形成可能となっている。
【０００７】
生体安全性が確認されたとは、医科材料や歯科材料として認可されている材料であって、使用される熱可塑性樹脂としては、例えば、ポリエチレン、エチレン塩化ビニル共重合体、エチレン酢酸ビニル共重合体、ポリ酢酸ビニル、ポリプロピレン、ポリブテン、ポリブタジエン、ポリメチルベンテン、ポリスチレン、スチレン系樹脂、ポリエステル、ポリアミド、ポリカーボネート、ポリフッ化ビニリデン、シリコーン、ポリウレタン、天然ゴム、合成ゴム、ポリ塩化ビニル、ポリアセタール、ポリアクリロニトリル、ポリテトラフルオロエチレン、エチレンビニルアルコール共重合体、ポリメタクリレート、ポリビロキシエチルメタクリレート、ポリエチレンメタクリレート、エチレンメタクリル酸共重合体、ポリサルフォン、トランスポリイソプレン、ポリカプロラクトン、塩化ビニル酢酸ビニル共重合体、グッタペルカ、コーパル、セラック、及びクマロンインデン樹脂等のいずれか１又は２以上がある。
【０００８】
本考案に係るマウススティックにおいて、前記熱可塑性樹脂が、エチレン酢酸ビニル共重合樹脂であるのが好ましい。
本考案に係るマウススティックにおいて、前記スティック部が中空状となって、該中空状のスティック部の先端部に滑り止め部材が挿入されていてもよい。
【０００９】
本考案に係るマウススティックにおいて、前記マウスピース部に全部又は一部が露出する導電性材料が配置され、更に、前記スティック部の先部に前記導電性材料と電気的に連結された導電性部材が取付けられているのが好ましい。
本考案に係るマウススティックにおいて、前記マウスピース部は、裏面に前記導電性材料が配置されていてもよい。
本考案に係るマウススティックにおいて、前記導電性材料は導電性プラスチックからなってもよい。
【考案の効果】
【００１０】
請求項１〜６に記載のマウススティックにおいては、マウスピース部が生体安全性が確認された熱可塑性樹脂を主体として形成されているので、使用時に有害物質が溶出することがなく、安心して使用できる。また、マウスピース部が個々の肢体不自由者に合わせて歯形が形成可能となっているので、形成された歯形により、咬み合わせた際に平均的に荷重がかかり歯の移動や脱落を防止することができると共に、顎関節の疲労を低減できる。
特に、請求項２記載のマウススティックにおいては、熱可塑性樹脂がエチレン酢酸ビニル共重合樹脂であるので、歯形が形成し易く、使用感もよい。
請求項３記載のマウススティックにおいては、中空状のスティック部の先端部に滑り止め部材が挿入されているので、マウススティックの先部が大きくならず使用し易い。
【００１１】
請求項４記載のマウススティックにおいては、マウスピース部に全部又は一部が露出する導電性材料が配置され、更に、スティック部の先部に導電性材料と電気的に連結された導電性部材が取付けられているので、例えば、静電容量型のポインティングデバイスの操作が可能である。
請求項５記載のマウススティックにおいては、マウスピース部は、裏面に導電性材料が配置されているので、口腔内で舌と接触し易くなる。
請求項６記載のマウススティックにおいては、導電性材料が導電性プラスチックからなるので、形成し易い。
【考案を実施するための最良の形態】
【００１２】
続いて、添付した図面を参照しつつ、本考案を具体化した実施の形態につき説明し、本考案の理解に供する。
ここで、図１は本考案の第１の実施の形態に係るマウススティックの説明図、図２（Ａ）〜（Ｄ）は同マウススティックの製造工程を示す説明図、図３は本考案の第３の実施の形態に係るマウススティックの説明図である。
【００１３】
図１を参照して、本考案の第１の実施の形態に係るマウススティック１０について説明する。
マウススティック１０は、生体安全性が確認された熱可塑性樹脂の一例である歯科用のエチレン酢酸ビニル共重合樹脂で形成された板状のマウスピース部１１と、マウスピース部１１に突出して設けられる棒状かつ中空状のアルミ製のパイプ（例えば、外径５〜７ｍｍ、内径３〜５ｍｍ、本実施の形態では外径６ｍｍ、内径４ｍｍ）で形成されたスティック部１２と、スティック部１２の中空の先端部に挿入されるパントフレンゴムで形成された滑り止め部材１３とを有し、肢体不自由者が、例えば、コンピュータのキーボードを押す、本の頁をめくる、電動車椅子の操作をする、又は、テレビ等のスイッチを操作する際に使用するものである。以下、それぞれについて、詳しく説明する。
【００１４】
マウスピース部１１は、例えば、平面視して下辺が円弧状となった台形状であって、下辺の長さが３０〜７０ｍｍ、上辺の長さが１０〜４０ｍｍ、高さが３０〜７０ｍｍ、厚みが３〜１０ｍｍ、具体的には、下辺の長さが５０ｍｍ、上辺の長さが２０ｍｍ、高さが５０ｍｍ、厚みが７ｍｍとなっている。ここで、マウスピース部１１は、咬合面を広く、具体的には、肢体不自由者（図示せず）がマウスピース部１１を口の中に入れて、例えば、上下６組の歯で咬み合わせることができる大きさに形成する。
【００１５】
また、スティック部１２は、マウスピース部１１の高さよりも短く、例えば、基端から２０〜５０ｍｍまでが押しつぶされて２ｍｍ程度（パイプの肉厚が１ｍｍである）に平らにされ、マウスピース部１１に埋設され、マウスピース部１１から突出した部分が例えば２０〜５０ｃｍ（本実施の形態では３５ｃｍ程度）となっている。更に、滑り止め部材１３の突出部分は、最大外径がスティック部１２の外径と実質的に同じ長さ（６ｍｍ）に形成され、円錐台形又は半球形等に形成されている。また、滑り止め部材１３の挿入部分は、スティック部１２の内径と実質的に同じ長さ（４ｍｍ）に形成されている。ここで、スティック部１２がアルミ製のパイプで形成されているので、長さ調整（切断）、角度調整（曲げ）が容易である。
なお、マウススティック１０の各部材の材質及び大きさは、肢体不自由者の体型や使用目的等に合わせて変えることができる。
【００１６】
次に、図２（Ａ）〜（Ｄ）を参照して、マウススティック１０の製造方法について説明する。
図２（Ａ）に示すように、例えば、円弧状の下辺の長さが５０ｍｍ、上辺の長さが２０ｍｍ、高さが５０ｍｍ、厚みが３．５ｍｍとなった台形状の２枚の樹脂片１４を、例えば、６０〜９０℃程度の熱湯（図示せず）に入れて軟化させた後、重ね合わせた樹脂片１４の間にスティック部１２の押しつぶされた基端が上辺から、例えば、３５ｍｍの位置になるように挟んで配置する。次に、図２（Ｂ）に示すように、樹脂片１４に圧力をかけてマウスピース部１１にスティック部１２を一体的に取付ける。
【００１７】
更に、図２（Ｃ）に示すように、再度熱湯に入れて軟化したマウスピース部１１を、やけどしない程度に冷ました後、肢体不自由者（図示せず）の使用状態に合わせて、マウスピース部１１を上下６組の歯で咬み合わせて肢体不自由者の歯形１５を付ける。肢体不自由者の歯に合わせているので、マウスピース部１１を咬み合わせた際には、歯への集中荷重を回避でき、それぞれの歯に平均的に荷重がかかり、歯の移動や脱落を防止することができると共に、顎関節の疲労を低減できる。また、正確に歯形がつかなかった場合には、再度、マウスピース部１１を熱湯に入れて軟化して同様に歯形を付けることができる。
最後に、図２（Ｄ）に示すように、スティック部１２の先端部に滑り止め部材１３を取付ける。スティック部１２は、使用状況に合わせて折り曲げることもできる。
【００１８】
本考案の第２の実施の形態に係るマウススティックは、マウスピース部を形成する２枚の樹脂片が導電性材料の一例である導電性プラスチックで形成され、更に、スティック部の先部に導電性プラスチックと電気的に連結されたアルミ製の導電性部材が取付けられている点で、マウススティック１０と異なっている。導電性材料である導電性プラスチックで形成されたマウスピース部１１が、導電性を備えたアルミ製のスティック部１２を介して、導電性部材と電気的に連結されているので、マウススティック全体が導電性となり、ノート型のパソコンに設けられた静電容量型のポインティングデバイスの操作が可能となる。
【００１９】
図３を参照して、本考案の第３の実施の形態に係るマウススティック２０について説明する。なお、マウススティック１０と同一の構成要素については同一の番号を付してその詳しい説明を省略する。
マウススティック２０は、マウスピース部２１の表面がエチレン酢酸ビニル共重合樹脂の樹脂片１４で形成され、裏面が樹脂片１４と平面視した形状が実質的に同じで、厚みが２ｍｍの導電性材料であるアルミ製の金属片２２で形成されて、金属片２２がアルミ製のスティック部１２と接触して配置されている。更に、スティック部１２の先部には、アルミ製の導電性部材２３が取付けられて、アルミ製のスティック部１２を介して、金属片２２と電気的に連結されている。これによって、マウススティック２０が、導電性となり、ノート型のパソコンに設けられた静電容量型のポインティングデバイスの操作が可能となる。
【００２０】
本考案は、前記した実施の形態に限定されるものではなく、本考案の要旨を変更しない範囲での変更は可能であり、例えば、前記したそれぞれの実施の形態や変形例の一部又は全部を組み合わせて本考案のマウススティックを構成する場合も本考案の権利範囲に含まれる。
例えば、前記実施の形態のマウススティックにおいて、マウスピース部をエチレン酢酸ビニル共重合樹脂で形成したが、生体安全性が確認された、すなわち、医科材料や歯科材料として認可されている材料で形成することができる。
【００２１】
また、前記第２の実施の形態では、マウスピース部の表面及び裏面の両方を導電性プラスチックで形成したが、表面及び裏面のいずれか一方が導電性材料、例えば導電性プラスチックであってもよい。
更に、前記第３の実施の形態では、マウスピース部の裏面側全面に露出する導電性材料を配置したが、マウスピース部の一部でスティック部と接触するように導電性材料を配置してもよいし、スティック部と接触しないように導電性材料を配置した場合に導電性材料とスティック部とをリード線等で電気的に接続してもよい。
【図面の簡単な説明】
【００２２】
【図１】本考案の第１の実施の形態に係るマウススティックの説明図である。
【図２】（Ａ）〜（Ｄ）は同マウススティックの製造工程を示す説明図である。
【図３】本考案の第３の実施の形態に係るマウススティックの説明図である。
【符号の説明】
【００２３】
１０：マウススティック、１１：マウスピース部、１２：スティック部、１３：滑り止め部材、１４：樹脂片、１５：歯形、２０：マウススティック、２１：マウスピース部、２２：金属片、２３：導電性部材
【図１】
0003116323.tif 000003
【図２】
0003116323.tif 000004
【図３】
0003116323.tif 000005